(57)【特許請求の範囲】
【請求項１】
被処理基板に形成された感光膜の所定領域に対し、露光処理を施す局所露光装置であって、基板搬送路を形成し、前記被処理基板を前記基板搬送路に沿って平流し搬送する基板搬送手段と、前記基板搬送路の上方において、基板搬送方向に交差する方向にライン状に配列された複数の発光素子を有し、その下方において基板搬送方向に沿って相対的に移動される被処理基板上の感光膜に対し、前記発光素子の発光により光照射可能な光源と、前記光源を構成する複数の発光素子のうち、１つまたは複数の発光素子を発光制御単位として選択的に発光駆動可能な発光駆動部と、前記被処理基板が前記光源の下方を搬送されない状態で、前記被処理基板に対する前記光源からの光照射位置に沿って基板幅方向に進退可能に設けられ、前記光源により照射された光の照度を検出する照度検出手段と、前記照度検出手段が検出した照度と前記発光素子の駆動電流値との関係を相関テーブルとして記憶すると共に、前記発光駆動部による前記発光素子の駆動を制御する制御部とを備え、
前記制御部は、前記被処理基板に形成された感光膜の所定領域に対し、その膜厚に基づいて照射すべき必要照度を求めると共に、前記所定領域に照射可能な前記光源の発光素子に対して、前記相関テーブルに基づき前記必要照度から駆動電流値を決定し、前記駆動電流値により前記発光素子を発光させ、前記発光駆動部によって、その供給電流に応じた発光の照射照度を可変に制御することを特徴とする局所露光装置。
【請求項２】
前記照度検出手段は、前記被処理基板と同じ高さ位置において基板幅方向に進退移動されることを特徴とする請求項１に記載された局所露光装置。
【請求項３】
前記光源は、前記被処理基板に対し高さ位置可変に設けられ、
前記照度検出手段は、前記光源が所定高さに固定された状態で、該光源により照射された光の照度を検出することを特徴とする請求項１または請求項２のいずれかに記載された局所露光装置。
【請求項４】
前記基板搬送路において前記光源よりも上流側に配置され、前記基板搬送手段により搬送される前記被処理基板を検出する基板検出手段を備え、
前記制御部は、前記基板検出手段による基板検出信号と基板搬送速度とに基づき基板搬送位置を取得し、前記被処理基板に形成された感光膜の所定領域が前記光源の下方を相対的に移動する際、前記ライン状に配列された複数の発光素子のうち、前記所定領域に照射可能な発光素子のみが発光するよう前記発光駆動部を制御することを特徴とする請求項１乃至請求項３のいずれかに記載された局所露光装置。
【請求項５】
前記光源の下方には光拡散板が設けられ、
前記光源から発光された光は、前記光拡散板を介して前記被処理基板に対し放射されることを特徴とする請求項１乃至請求項４のいずれかに記載された局所露光装置。
【請求項６】
前記制御部は、
前記光源を基板幅方向に沿って複数の発光制御グループに分けると共に、前記発光制御グループ毎に、所定範囲内の複数の駆動電流値と、その駆動電流値による照度とを前記相関テーブルに記憶することを特徴とする請求項１乃至請求項５のいずれかに記載された局所露光装置。
【請求項７】
前記制御部は、前記被処理基板に形成された感光膜の所定領域に対する照射及び現像処理により増減した膜厚の変動値と、前記所定領域に照射した発光素子の駆動電流値との関係を相関テーブルに蓄積し、前記相関テーブルに基づき前記膜厚変動値から駆動電流値を決定し、前記駆動電流値により前記発光素子を発光させるよう前記発光駆動部を制御することを特徴とする請求項１乃至請求項６のいずれかに記載された局所露光装置。
【発明の詳細な説明】
【技術分野】
【０００１】
本発明は、感光膜が形成された被処理基板に対し局所的に露光処理を行う局所露光装置に関する。
【背景技術】
【０００２】
例えば、ＦＰＤ（フラットパネルディスプレイ）の製造においては、いわゆるフォトリソグラフィ工程により回路パターンを形成することが行われている。
このフォトリソグラフィ工程では、特許文献１にも記載されている通り、ガラス基板等の被処理基板に所定の膜を成膜した後、フォトレジスト（以下、レジストと呼ぶ）が塗布され、レジスト中の溶剤を蒸発させる予備乾燥処理（減圧乾燥、及びプリベーク処理）によってレジスト膜（感光膜）が形成される。そして、回路パターンに対応して前記レジスト膜が露光され、これが現像処理され、パターン形成される。
【０００３】
ところで、このようなフォトリソグラフィ工程にあっては、図１５（ａ）に示すようにレジストパターンＲに異なる膜厚（厚膜部Ｒ１と薄膜部Ｒ２）を持たせ、これを利用して複数回のエッチング処理を行うことによりフォトマスク数、及び工程数を低減することが可能である。尚、そのようなレジストパターンＲは、１枚で光の透過率が異なる部分を有するハーフトーンマスクを用いるハーフ（ハーフトーン）露光処理によって得ることができる。
【０００４】
このハーフ露光が適用されたレジストパターンＲを用いた場合の回路パターン形成工程について図１５（ａ）〜（ｅ）を用いて具体的に説明する。
例えば、図１５（ａ）において、ガラス基板Ｇ上に、ゲート電極２００、絶縁層２０１、ａ−Ｓｉ層（ノンドープアモルファスＳｉ層）２０２ａとｎ＋ａ−Ｓｉ層２０２ｂ（リンドープアモルファスＳｉ層）からなるＳｉ層２０２、電極を形成するためのメタル層２０３が順に積層されている。
また、メタル層２０３上には、一様にレジスト膜が形成された後、減圧乾燥、及びプリベーク処理によりレジスト中の溶剤が蒸発され、その後、前記ハーフ露光処理、及び現像処理により、レジストパターンＲが形成される。
【０００５】
このレジストパターンＲ（厚膜部Ｒ１及び薄膜部Ｒ２）の形成後、図１５（ｂ）に示すように、このレジストパターンＲをマスクとして、メタル層２０３のエッチング（１回目のエッチング）が行われる。
次いで、レジストパターンＲ全体に対し、プラズマ中でアッシング（灰化）処理が施される。これにより、図１５（ｃ）に示すように、膜厚が半分程度に減膜されたレジストパターンＲ３が得られる。
そして、図１５（ｄ）に示すように、このレジストパターンＲ３をマスクとして利用し、露出するメタル層２０３やＳｉ層２０２に対するエッチング（２回目のエッチング）が行われ、最後に図１５（ｅ）に示すようにレジストＲ３を除去することにより回路パターンが得られる。
【０００６】
しかしながら、前記のように厚膜Ｒ１と薄膜Ｒ２とが形成されたレジストパターンＲを用いるハーフ露光処理にあっては、レジストパターンＲの形成時に、その膜厚が基板面内で不均一の場合、形成するパターンの線幅やパターン間のピッチがばらつくという課題があった。
【０００７】
即ち、図１６（ａ）〜（ｅ）を用いて具体的に説明すると、図１６（ａ）は、レジストパターンＲのうち、薄膜部Ｒ２の厚さｔ２が、図１５（ａ）に示した厚さｔ１よりも厚く形成された場合を示している。
この場合において、図１４に示した工程と同様に、メタル膜２０３のエッチング（図１６（ｂ））、レジストパターンＲ全体に対するアッシング処理（図１６（ｃ））が施される。
【０００８】
ここで、図１６（ｃ）に示すように、膜厚が半分程度に減膜されたレジストパターンＲ３が得られるが、除去されるレジスト膜の厚さは、図１５（ｃ）の場合と同じであるため、図示する一対のレジストパターンＲ３間のピッチｐ２は、図１５（ｃ）に示すピッチｐ１よりも狭くなる。
したがって、その状態から、メタル膜２０３及びＳｉ層２０２に対するエッチング（図１６（ｄ）、及びレジストパターンＲ３の除去（図１６（ｅ））を経て得られた回路パターンは、そのピッチｐ２が図１５（ｅ）に示すピッチｐ１よりも狭いものとなっていた（回路パターンの線幅が広くなっていた）。
【０００９】
前記課題に対し、従来は、露光処理時に光を透過させるマスクパターン毎に、レジストパターンＲにおける膜厚が所望値よりも厚く形成される所定部位を膜厚測定により特定し、その部位の露光感度を高くする手段がとられている。
即ち、露光処理前にレジスト膜を加熱して溶剤を蒸発させるプリベーク処理において、基板面内の加熱量に差異を持たせ、前記所定部位における露光感度を変化させることにより、現像処理後の残膜厚が調整（面内均一化）されている。
具体的には、プリベーク処理に用いるヒータを複数の領域に分割し、分割されたヒータを独立して駆動制御することによりエリア毎の温度調整が行われている。
更には、基板を支持するプロキシミティピンの高さ変更（ヒータと基板間の距離変更）により加熱温度の調整が行われている。
【先行技術文献】
【特許文献】
【００１０】
【特許文献１】特開２００７−１５８２５３号公報
【発明の概要】
【発明が解決しようとする課題】
【００１１】
しかしながら、前記のようにプリベークによる加熱処理によって残膜厚の調整を行う場合、分割されたヒータ面積は、ハードウエアの制約上、ある程度の大きさを確保する必要があるため、細かなエリアの加熱調整が出来ないという課題があった。
また、プロキシミティピンの高さによる加熱調整にあっては、ピン高さを変更する作業工数を要するため、生産効率が低下するという課題があった。
【００１２】
本発明は、上記のような従来技術の問題点に鑑みてなされたものであり、基板面内で細かく設定したエリア毎の露光量を容易に調整することができ、現像処理後のレジスト残膜の均一性を向上し、配線パターンの線幅及びピッチのばらつきを抑制することのできる局所露光装置を提供する。
【課題を解決するための手段】
【００１３】
前記した課題を解決するために、本発明に係る局所露光装置は、被処理基板に形成された感光膜の所定領域に対し、露光処理を施す局所露光装置であって、基板搬送路を形成し、前記被処理基板を前記基板搬送路に沿って平流し搬送する基板搬送手段と、前記基板搬送路の上方において、基板搬送方向に交差する方向にライン状に配列された複数の発光素子を有し、その下方において基板搬送方向に沿って相対的に移動される被処理基板上の感光膜に対し、前記発光素子の発光により光照射可能な光源と、前記光源を構成する複数の発光素子のうち、１つまたは複数の発光素子を発光制御単位として選択的に発光駆動可能な発光駆動部と、前記被処理基板が前記光源の下方を搬送されない状態で、前記被処理基板に対する前記光源からの光照射位置に沿って基板幅方向に進退可能に設けられ、前記光源により照射された光の照度を検出する照度検出手段と、前記照度検出手段が検出した照度と前記発光素子の駆動電流値との関係を相関テーブルとして記憶すると共に、前記発光駆動部による前記発光素子の駆動を制御する制御部とを備え、前記制御部は、前記被処理基板に形成された感光膜の所定領域に対し、その膜厚に基づいて照射すべき必要照度を求めると共に、前記所定領域に照射可能な前記光源の発光素子に対して、前記相関テーブルに基づき前記必要照度から駆動電流値を決定し、前記駆動電流値により前記発光素子を発光させ、前記発光駆動部によって、その供給電流に応じた発光の照射照度を可変に制御することに特徴を有する。
【００１４】
尚、前記照度検出手段は、前記被処理基板と同じ高さ位置において基板幅方向に進退移動されることが望ましい。
また、前記光源は、前記被処理基板に対し高さ位置可変に設けられ、前記照度検出手段は、前記光源が所定高さに固定された状態で、該光源により照射された光の照度を検出することが望ましい。
また、前記基板搬送路において前記光源よりも上流側に配置され、前記基板搬送手段により搬送される前記被処理基板を検出する基板検出手段を備え、前記制御部は、前記基板検出手段による基板検出信号と基板搬送速度とに基づき基板搬送位置を取得し、前記被処理基板に形成された感光膜の所定領域が前記光源の下方を相対的に移動する際、前記ライン状に配列された複数の発光素子のうち、前記所定領域に照射可能な発光素子のみが発光するよう前記発光駆動部を制御することが望ましい。
【００１５】
このように構成することにより、膜厚をより薄くしたい（或いは厚くしたい）任意の部位に対する局所的な露光処理を容易に行うことができ、予め設定された露光量（照度）により所望の膜厚に減膜することができる。
したがって、例えばハーフ露光処理においてレジスト膜に異なる膜厚（厚膜部と薄膜部）を持たせる場合であっても（即ち薄膜部のように薄い膜厚であっても）、現像処理後のレジスト膜厚を均一にし、配線パターンの線幅及びピッチのばらつきを抑制することができる。
また、露光量（照度）の設定にあっては、予め照度検出手段を用いて、発光制御単位となる全ての発光素子に対して測定を行い、その駆動電流値と照度との関係を相関テーブルとして保持することによって、高精度に露光量を調整することができる。
【００１６】
また、前記光源の下方には光拡散板が設けられ、前記光源から発光された光は、前記光拡散板を介して前記被処理基板に対し放射されることが望ましい。
このように光拡散板を設けることによって、光源から放射された光は、光拡散板によって適度に拡散されるため、隣接する発光素子の光をライン状に繋げて下方に照射することができる。
【００１７】
また、前記制御部は、前記光源を基板幅方向に沿って複数の発光制御グループに分けると共に、前記発光制御グループ毎に、所定範囲内の複数の駆動電流値と、その駆動電流値による照度とを前記相関テーブルに記憶することが望ましい。
このように、光源を複数の発光制御グループに分けることにより、発光素子間の発光照度のばらつきを抑制することができる。
【００１８】
また、前記制御部は、前記被処理基板に形成された感光膜の所定領域に対する照射及び現像処理により増減した膜厚の変動値と、前記所定領域に照射した発光素子の駆動電流値との関係を相関テーブルに蓄積し、前記相関テーブルに基づき前記膜厚変動値から駆動電流値を決定し、前記駆動電流値により前記発光素子を発光させるよう前記発光駆動部を制御することが望ましい。
そのように膜厚変動値と駆動電流値との相関データを用いる場合には、パラメータとして照度を省くことができるため（即ち照度と駆動電流値との相関データを利用しなくてよいため）、照度と駆動電流値との相関データの更新作業を省くことができる。
【発明の効果】
【００１９】
本発明によれば、基板面内で細かく設定したエリア毎の露光量を容易に調整することができ、現像処理後のレジスト残膜の均一性を向上し、配線パターンの線幅及びピッチのばらつきを抑制することのできる局所露光装置を得ることができる。
【図面の簡単な説明】
【００２０】
【図１】図１は、本発明に係る一実施形態の全体概略構成を示す斜視図である。
【図２】図２は、本発明に係る一実施形態の全体概略構成を示す斜視図であって、被処理基板が搬入されている状態を示す図である。
【図３】図３は、図２のＡ−Ａ矢視断面図である。
【図４】図４は、フォトリソグラフィ工程における局所露光装置の配置を模式的に示す図である。
【図５】図５は、光源を構成する発光素子の配列を示す平面図である。
【図６】図６は、本発明に係る局所露光装置が有する発光制御プログラムの設定パラメータを求める工程を示すフローである。
【図７】図７は、本発明に係る局所露光装置において、発光素子の発光制御を説明するための図であって、被処理基板上の局所露光位置を座標で示す被処理基板の平面図である。
【図８】図８は、本発明に係る局所露光装置が有する発光制御プログラムの設定パラメータの例を示す表である。
【図９】図９は、本発明に係る局所露光装置が有する発光制御プログラムにおいて利用される発光素子の駆動電流値と照度との相関テーブルの例を示す表である。
【図１０】図１０は、本発明に係る局所露光位置による一連の動作を示すフローである。
【図１１】図１１は、本発明に係る局所露光装置における局所露光の動作を説明するための平面図である。
【図１２】図１２は、本発明に係る局所露光装置における局所露光の動作を説明するためのグラフである。
【図１３】図１３は、本発明に係る局所露光装置の応用例を説明するための平面図である。
【図１４】図１４は、本発明に係る局所露光装置が有する発光制御プログラムにおいて利用可能な発光素子の駆動電流値と膜厚との相関テーブルの応用例を示す表である。
【図１５】図１５（ａ）〜図１５（ｅ）は、ハーフ露光処理を用いた配線パターンの形成工程を説明するための断面図である。
【図１６】図１６（ａ）〜図１６（ｅ）は、ハーフ露光処理を用いた配線パターンの形成工程を示す図であって、図１５の場合よりもレジスト膜厚が厚い場合を示す断面図である。
【発明を実施するための形態】
【００２１】
以下、本発明の局所露光装置にかかる一実施形態を、図面に基づき説明する。図１は、本発明に係る局所露光装置１の全体概略構成を示す斜視図である。また、図２は、図１とは異なる角度からみた局所露光装置１の斜視図であって、被処理基板であるガラス基板Ｇが搬入されている状態を示す図である。また、図３は、図２のＡ−Ａ矢視断面図である。また、図４は、フォトリソグラフィ工程における局所露光装置１の配置を模式的に示す図である。
【００２２】
図１乃至図３に示す局所露光装置１は、例えば図４（ａ）〜（ｃ）にそれぞれ示すように、被処理基板をＸ方向に平流し搬送しながら一連のフォトリソグラフィ工程を行うユニット内に配置される。
即ち、フォトリソグラフィ工程においては、被処理基板に感光膜とするレジスト液を塗布するレジスト塗布装置５１（ＣＴ）と、減圧されたチャンバ内において基板上のレジスト膜（感光膜）を乾燥する減圧乾燥装置５２（ＤＰ）とが配置される。更に、基板Ｇにレジスト膜を定着させるために加熱処理を行うプリベーク装置５３（ＰＲＢ）と、それを所定温度に冷却する冷却装置５４（ＣＯＬ）と、レジスト膜に対し所定の回路パターンに露光する露光装置５５（ＥＸＰ）と、露光後のレジスト膜を現像処理する現像装置５６（ＤＥＶ）とが順に配置される。
【００２３】
ここで、本発明に係る局所露光装置１（ＡＥ）は、例えば、図４（ａ）〜（ｃ）に示すいずれかの位置に配置される。即ち、プリベーク装置５３（ＰＲＢ）よりも後段、且つ、現像装置５６（ＤＥＶ）よりも前段の所定位置に配置される。
このように配置された局所露光装置１（ＡＥ）にあっては、例えば、ポジ型レジストを使用する場合、複数枚の基板Ｇを連続的に処理する際に、全ての基板Ｇの所定領域において他の領域よりも配線パターン幅が広くパターン間ピッチが狭くなる場合に、前記所定領域に対する（減膜厚のための）局所露光が施される。
尚、以下の実施形態にあっては、ポジ型レジストの場合を例に説明するが、本発明に係る局所露光装置にあっては、ネガ型レジストの場合にも適用することができ、その場合には、レジスト残膜をより厚く残したい所定領域に対して局所露光が施される。
【００２４】
続いて局所露光装置１の構成について詳しく説明する。図１〜図３に示すように局所露光装置１は、基台１００上に回転可能に敷設された複数のコロ２０によって基板ＧをＸ方向に向かって搬送する基板搬送路２を具備する。基板搬送路２は、Ｙ方向に延びる円柱状のコロ２０を複数有し、それら複数のコロ２０は、Ｘ方向に所定の間隔をあけて、それぞれ基台１００上に回転可能に配置されている。また、複数のコロ２０は、ベルト（図示せず）によって連動可能に設けられ、１つのコロ２０がモータ等のコロ駆動装置（図示せず）に接続されている。尚、図１にあっては、この局所露光装置１の構成の説明を容易にするために、図面手前側のコロ２０を一部破断して示している。
【００２５】
また、図示するように、基板搬送路２の上方には、基板Ｇに対し局所的な露光（ＵＶ光放射）を行うための光照射ユニット３が配置されている。
この光照射ユニット３は、基板幅方向（Ｙ方向）に延びるライン状の光源４を備え、この光源４の下方を基板Ｇが搬送されることとなる。
前記ライン状の光源４は、所定波長（例えば、ｇ線（４３６ｎｍ）、ｈ線（４０５ｎｍ）、ｉ線（３６４ｎｍ）のいずれかに近い波長）のＵＶ光を発光する複数のＵＶ−ＬＥＤ素子Ｌが回路基板７上に配列されて構成されている。例えば、図５（ａ）は、回路基板７を下方から見た平面図である。図５（ａ）に示すように、回路基板７上には複数のＵＶ−ＬＥＤ素子Ｌが３列に配列される。
【００２６】
ここで、図５（ａ）に示すように複数個（図では９個）のＵＶ−ＬＥＤ素子Ｌが、一つの発光制御単位（発光制御グループＧＲ１〜ＧＲｎとする）となされる。このように複数個のＬＥＤ素子Ｌを発光制御単位とすることにより、発光素子間の発光照度のばらつきを抑制することができる。
尚、より少ないＵＶ−ＬＥＤ素子Ｌで光源４を構成する場合には、図５（ｂ）のように基板搬送方向（Ｘ方向）、及び基板幅方向（Ｙ方向）に素子Ｌが重なるように千鳥配置することが望ましい。
【００２７】
また、図３に示すように、光源４の下方には、光拡散板からなる光放射窓６が設けられている。即ち、光源４と被照射体である基板Ｇとの間に光放射窓６が配置されている。
このように光拡散板からなる光放射窓６が設けられることによって、光源４から放射された光は、光放射窓６によって適度に拡散されるため、隣接するＵＶ−ＬＥＤ素子Ｌの光はライン状に繋がって下方に照射される。
また、図３に示すようにＵＶ−ＬＥＤ素子Ｌの前後には、基板幅方向（Ｙ方向）に延びる光反射壁８が設けられ、ＵＶ−ＬＥＤ素子Ｌによる発光が効率よく光放射窓６から下方に放射されるように構成されている。
【００２８】
また、光源４を構成する各発光制御グループＧＲは、それぞれ発光駆動部９（図１）により、独立してその発光駆動が制御される。更には、各発光制御グループＧＲ（のＵＶ−ＬＥＤ素子Ｌ）に対し供給される順電流値はそれぞれ制御可能となされている。即ち、各発光制御グループＧＲのＵＶ−ＬＥＤ素子Ｌは、発光駆動部９によって、その供給電流に応じた発光の放射照度が可変となされている。
尚、前記発光駆動部９は、コンピュータからなる制御部４０によって、その駆動が制御される。
【００２９】
また、光照射ユニット３は、基板搬送路２を搬送される基板Ｇに対して、その光放射位置の高さを可変とすることができる。即ち、図３に示すように、光照射ユニット３は、その支持フレーム１５の長手方向（Ｙ方向）の両端に設けられた水平板部１５ａが、一対の昇降軸１１によって下方から支持され、昇降軸１１は、基台１００に設けられた例えばエアシリンダからなる昇降駆動部１２（昇降手段）によって上下動可能となされている。
尚、図２，図３に示すように、光照射ユニット３が最も下方に移動した位置においては、前記支持フレーム１５の水平板部１５ａの下面が、基台１００に設けられた支持部材１６に当接するようになっている。
【００３０】
また、基台１００において、昇降駆動部１２の左右両側には、筒状のガイド部材１３がそれぞれ立設されている。一方、前記支持フレーム１５の水平板部１５ａにおいて、その下面には、前記昇降軸１１の左右両側に、前記ガイド部材１３に係合するガイド軸１４がそれぞれ設けられている。これにより、光照射ユニット３の昇降に伴い、ガイド軸１４がガイド部材１３の中を上下方向に摺動し、光照射ユニット３の光照射窓６の水平度が精度よく維持される構成となっている。
【００３１】
また、光照射ユニット３の下方には、光源４から放射され、光放射窓６を通過した光の照度（放射束）を検出するための照度センサユニット３０が設けられている。
この照度センサユニット３０は、信号の検出部が上方に臨む照度センサ３１を備え、この照度センサ３１は基板幅方向（Ｙ方向）に移動可能な移動プレート３２上に設置されている。また、光源４の直下の基台１００上には、光源４に沿って、基板幅方向に延びる一対のレール３３ａ、３３ｂが敷設されている。
【００３２】
前記移動プレート３２の下面側には、前記一対のレール３３ａ、３３ｂに沿って移動可能なリニアモータ３４が設けられ、このリニアモータ３４には屈曲自在な蛇腹状のケーブルカバー３５内に配された電源ケーブル（図示せず）を介して電源供給がなされている。また、ケーブルカバー３５内には、制御部４０によってリニアモータ３４の動作を制御するための制御ケーブル（図示せず）が配されている。
【００３３】
即ち、移動プレート３２上の照度センサ３１は、レール３３ａ、３３ｂに沿って基板幅方向に移動可能であり、そのとき照度センサ３１における検出部が常に基板面の高さに一致するようになされている。言い換えれば、照度センサ３１は、基板Ｇに対する前記光源４からの光照射位置に沿って基板幅方向に進退可能となされている。
また、基板Ｇが局所露光装置１を搬送されるときには、照度センサ３１は、基板Ｇと干渉しないように、レール３３ａ、３３ｂの一端側に退避するように制御部４０によって制御される。
このように構成された照度センサユニット３０にあっては、各発光制御グループＧＲの発光照度を測定し、その発光制御グループＧＲ（のＬＥＤ素子Ｌ）に供給された電流値と発光照度との関係を得るために用いられる。
【００３４】
また、この局所露光装置１にあっては、図３に示すように、光照射ユニット３の上流側に、基板搬送路２を搬送される基板Ｇの所定箇所（例えば先端）を検出するための基板検出センサ３９が設けられ、その検出信号を制御部４０に出力するようになされている。基板Ｇは、基板搬送路２上を所定速度（例えば５０ｍｍ／ｓｅｃ）で搬送されるため、制御部４０は、基板Ｇの搬送位置を前記検出信号と、該検出信号を取得後の時間、及び基板搬送速度によって取得することができる。
【００３５】
また、制御部４０は、光源４を構成する各発光制御グループＧＲの輝度、即ち、各発光制御グループＧＲ（を構成するＵＶ−ＬＥＤ素子Ｌ）に供給する電流値を所定のタイミングにおいて制御するための発光制御プログラムＰを所定の記録領域に有する。
この発光制御プログラムＰは、その実行時に用いるレシピのパラメータとして、基板Ｇの所定位置に対して放射すべき必要照度（発光制御グループＧＲに供給する電流値）、前記基板Ｇの所定位置に対し発光制御する発光制御グループＧＲを特定するための情報等が予め設定されている。
【００３６】
ここで、局所露光装置１における準備工程について図６乃至図８を用いて説明する。この準備工程は、露光処理時に光を透過させるマスクパターン毎に、露光処理にかかるパラメータ（レシピと呼ぶ）を決定するために実施される。具体的には、図８に示すようなレシピテーブルＴ１における各パラメータを埋めるために実施される。尚、このレシピテーブルＴ１は、制御部４０に記憶され保持される。
また、この準備工程には、２種類のサンプリング基板（サンプリング対象１，２と呼ぶ）のうち、いずれかを用いる。先ず、サンプリング対象１は、レジスト塗布後にハーフ露光、及び現像処理が施された被処理基板である。一方、サンプリング対象２は、通常のフォトリソグラフィ工程（局所露光装置１を介さない工程）により配線パターンが形成された被処理基板である。
【００３７】
図６に示すようにサンプリング対象１の場合、レジスト塗布後にハーフ露光及び現像処理が施された複数の被処理基板をサンプリングする（図６のステップＳｔ１）。
次いで、サンプリングした基板Ｇの面内におけるレジスト残膜厚を測定し（図６のステップＳｔ２）、図７に模式的に示すように減膜すべき所定エリアＡＲを複数の二次元座標値（ｘ、ｙ）により特定する（図４のステップＳｔ５）。
【００３８】
一方、図６に示すようにサンプリング対象２の場合、通常のフォトリソグラフィ工程（局所露光装置１を介さない工程）により配線パターン形成された複数の被処理基板をサンプリングする（図６のステップＳｔ３）。
次いで、サンプリングした基板Ｇの面内における配線パターンの線幅、パターン間ピッチを測定し（図６のステップＳｔ４）、図７に模式的に示すように減膜すべき所定エリアＡＲを複数の二次元座標値（ｘ、ｙ）により特定する（図６のステップＳｔ５）。
【００３９】
所定エリアＡＲが特定されると、制御部４０は、図８のレシピテーブルＴ１に示すように、所定エリアＡＲにおける各座標値に対して必要な減膜厚（例えば、座標（ｘ１，ｙ１）の場合は１０００Å）を算出する（図６のステップＳｔ６）。更に、その減膜厚の値、及びレジスト種類等の諸条件に基づき、減膜のために照射すべき照度（座標（ｘ１，ｙ１）の場合は０．２ｍＪ／ｃｍ２）を算出する（図６のステップＳｔ７）。
【００４０】
また、制御部４０は、図８のレシピテーブルＴ１に示すように、所定エリアＡＲの各座標値に対して照射可能な発光制御グループＧＲをそれぞれ特定し（図６のステップＳｔ８）、その発光制御グループＧＲを所望の照度で発光させるために必要な順電流値を図９に示す相関テーブルＴ２から求める（図６のステップＳｔ９）。
この相関テーブルＴ２は、発光制御グループＧＲごとに測定された照度値と電流値との相関関係を示しており、制御部４０の記録エリアに記憶されている。
前記相関テーブルＴ２は、例えば、次のようにして定期的に更新される。
先ず、光源４（光放射窓６）が所定高さに設定された状態で、制御部４０からの制御信号によりリニアモータ３４が駆動され、待機位置にあった照度センサ３１が光放射窓６の下方に移動される。ここで、光放射窓６と照度センサ３１との距離は、光放射窓６と基板Ｇ上面との距離に等しいため、照度センサ３１によって検出された照度が、基板Ｇに照射される照度となる。
【００４１】
そして、発光制御グループＧＲ毎に、定格電流範囲内で、光源４の発光制御グループＧＲに供給する順電流値が増減され、その発光照度が照度センサ３１により検出され、照度と電流値との関係が前記相関テーブルＴ２に記憶される。
このように図６のフローに沿って全てのパラメータが求められて図８のレシピテーブルＴ１に設定され、準備工程が完了する（図６のステップＳｔ１０）。
【００４２】
続いて、局所露光装置１による局所露光の一連の動作について、更に図１０乃至図１２を用いて説明する。
前段工程での処理終了後、基板Ｇが基板搬送路２を搬送され、基板検出センサ３９により検出されると、制御部４０にその基板検出信号が供給される（図１０のステップＳ１）。
制御部４０は、前記基板検出信号と基板搬送速度とに基づいて、基板Ｇの搬送位置を取得（検出）開始する（図１０のステップＳ２）。
【００４３】
そして制御部４０は、局所的に露光をすべき所定エリアが光照射ユニット３の下方を通過するタイミングにおいて（図１０のステップＳ３）、図１１に模式的に示すように光源４を構成する発光制御グループＧＲ１〜ＧＲｎの発光制御を行う（図１０のステップＳ４）。
ここで、例えば、基板Ｇの所定エリアＡＲに発光照射する場合には、その上方に配置された発光制御グループＧＲｎ−１，ＧＲｎ−２の発光制御がなされる。より具体的には、図１２のグラフ（発光制御グループＧＲｎ−１，ＧＲｎ−２ごとの時間経過に対する放射束（ワット）の大きさ）に示すように、光源下を基板Ｇの所定エリアＡＲが通過する間、放射束Ｗの大きさが変化するよう供給される順電流の制御が行われる。
このように、基板Ｇの所定エリアＡＲに単に照射されるだけでなく、エリアＡＲ内の局所において任意の照度での照射がなされる。
【００４４】
また、基板Ｇにおいて、他に局所的に露光すべきエリアが有る場合（図１０のステップＳ５）、そのエリアにおいて発光制御グループＧＲの発光制御がなされ、他にない場合は（図１０のステップＳ５）、その基板Ｇに対する局所露光処理が終了する。
尚、図４に示したように、この局所露光処理（ＡＥ）に加え、この前段或いは後段において行われる露光処理（ＥＸＰ）と併せて、基板Ｇに対する露光処理が完了し、その露光後のレジスト膜が現像装置５６（ＤＥＶ）により現像処理される。
【００４５】
以上のように、本発明に係る実施の形態によれば、基板Ｇに形成されたレジスト膜厚の任意の部位に対する局所的な露光処理において、基板幅方向（Ｙ方向）にライン状に配置された複数のＵＶ−ＬＥＤ素子Ｌにより複数の発光制御グループＧＲが形成され、その下方を搬送される基板Ｇに対し、選択された発光制御グループＧＲが発光制御される。
これにより、膜厚をより薄くしたい任意の部位に対する局所的な露光処理を容易に行うことができ、予め設定された露光量（照度）により所望の膜厚に減膜することができる。
したがって、例えばハーフ露光処理においてレジスト膜に異なる膜厚（厚膜部と薄膜部）を持たせる場合であっても（即ち薄膜部のように薄い膜厚であっても）、現像処理後のレジスト膜厚を均一にし、配線パターンの線幅及びピッチのばらつきを抑制することができる。
また、露光量（照度）の設定にあっては、予め照度センサ３１を用いて全ての発光制御グループＧＲに対して測定を行い、その駆動電流値と照度との関係を相関テーブルとして保持することによって、高精度に露光量を調整することができる。
【００４６】
尚、前記実施の形態においては、局所的に追加露光を行うエリアを基板面の有効エリア内とした例を示したが、それに限定されるものではない。
例えば、図１３に示すように基板Ｇの縁部領域（有効エリアの周辺）Ｅ１を露光する処理に用いることもできる。
また、前記実施の形態においては、複数個のＵＶ−ＬＥＤ素子Ｌからなる発光制御グループを発光制御単位とした例を示したが、それに限らず、各ＵＶ−ＬＥＤ素子Ｌを発光制御単位として、より細かく局所露光を行うようにしてもよい。
【００４７】
また、前記実施形態においては、基板Ｇを平流し搬送しながら露光処理を行う場合を例に説明したが、本発明にあっては、その形態に限定されず、被処理基板をチャンバ内に静止した状態で保持し、保持した基板に対して露光処理を行う構成であってもよい。
その場合、ライン状光源を被処理基板に対して移動させるようにしてもよい（即ち、ライン状光源と被処理基板とが相対的に逆方向に移動する構成であればよい）。
また、前記実施の形態においては、ハーフ露光処理後のレジスト残膜厚を均一にする場合を例に説明したが、本発明に係る局所露光方法にあっては、ハーフ露光処理に限らず適用することができる。例えば、ハーフ露光処理ではなく通常の露光処理を行う場合であっても、発明に係る局所露光方法を適用することによって、レジスト残膜厚を面内均一とすることができる。
また、図６のステップＳｔ６、Ｓｔ７のように、必要な残膜厚に基づき必要な照度を求めることに限らず、現像処理後のパターン線幅を測定してパターン線幅と照度との相関データを求め、その相関データに基づきレシピテーブルを作成してもよい。
【００４８】
また、前記実施の形態においては、相関テーブルＴ２に基づき、必要照度から電流値を決定し、その電流値のみで照度の制御を行うものとしている。このとき、光照射ユニット３の高さは固定であるが、この高さ位置は適宜調整し、変更するようにしてよい。
例えば、駆動電流が一定であっても、ＵＶ−ＬＥＤ素子Ｌの経年劣化により、その照度が低下してくることが懸念される。そのため、照度測定の結果、ＵＶ−ＬＥＤ素子Ｌに対して最大電流の負荷をかけても所望の照度が得られない場合には、光照度ユニット３を基板Ｇに近づけて再測定し、その結果、所望の照度が得られた場合には、その高さ位置が光照度ユニット３の高さ位置として新たに設定される。
【００４９】
また、前記実施の形態においては、基板Ｇに形成されたレジスト膜の所定領域の膜厚から照射すべき照度を決定し、相関テーブルに基づき前記照度から駆動電流値を求めるものとした。しかしながら、そのような形態のみに限定するのではなく、前記所定領域における膜厚変動値（減膜厚値）と、その所定領域に照射した発光制御グループＧＲの駆動電流値との関係を図１４に示すような相関テーブルＴ３にデータベースとして蓄積しておき、それを利用してもよい。即ち、前記相関テーブルＴ３に基づき前記所定領域の膜厚変動値から直接、駆動電流値を決定し、前記駆動電流値により発光制御グループＧＲを発光させるようしてもよい。そのように相関テーブルＴ３を用いる場合には、パラメータとして照度を省くことができるため（即ち照度と駆動電流値との相関テーブルＴ２を利用しなくてよいため）、照度センサ３１を用いた照度測定による定期的な相関テーブルＴ２の更新作業を省くことができる。
【符号の説明】
【００５０】
１          局所露光装置
２          基板搬送路
３          光照射ユニット
４          光源
９          発光駆動部
２０        搬送コロ（基板搬送手段）
３９        基板検出センサ（基板検出手段）
４０        制御部
Ｇ          ガラス基板（被処理基板）
Ｌ          ＵＶ−ＬＥＤ素子（発光素子）
ＧＲ        発光制御グループ
Ｔ１        レシピテーブル
Ｔ２        相関テーブル
Ｔ３        相関テーブル
【図１】
0005325907.tif 000002
【図２】
0005325907.tif 000003
【図３】
0005325907.tif 000004
【図４】
0005325907.tif 000005
【図５】
0005325907.tif 000006
【図６】
0005325907.tif 000007
【図７】
0005325907.tif 000008
【図８】
0005325907.tif 000009
【図９】
0005325907.tif 000010
【図１０】
0005325907.tif 000011
【図１１】
0005325907.tif 000012
【図１２】
0005325907.tif 000013
【図１３】
0005325907.tif 000014
【図１４】
0005325907.tif 000015
【図１５】
0005325907.tif 000016
【図１６】
0005325907.tif 000017